(57)【要約】【課題】携帯電話機本体と表示操作部が分離している場合に、表示操作部により電話の発着信や電源等の操作を行うことができる携帯電話機を実現する。【解決手段】携帯電話機本体１００は、無線電話制御手段と、マイク１０７と、スピーカ１０６と、電池１０９と、電池１０９からの電源供給を制御する主電源スイッチ１１０と、表示操作部２００との間でデータを送受する送受信部１０８とを備え、表示操作部２００は、少なくとも電話番号の入力及び電話の発着信の操作入力を行う入力部２０１と、表示部２０２と、電池２０６と、電池２０６からの電源供給を制御する電源スイッチ２０７と、送受信部１０８との間でデータを送受する送受信部２０５とを備え、携帯電話機本体１００の主電源スイッチ１１０は、表示操作部２００の電源スイッチ２０７の制御に連動して電源のオンオフ制御を行うことを特徴とする。【選択図】    図１
2004172826.tif 000002
【特許請求の範囲】
【請求項１】
携帯電話機本体と表示操作部とから構成される携帯電話機において、
前記携帯電話機本体は、無線基地局と無線通信する第１の無線通信手段と、無線電話制御手段と、送話手段と、受話手段と、電源用の電池と、この電池からの電源供給を制御する主電源制御手段と、前記表示操作部との間でデータを送受する第２の無線通信手段とを備え、
前記表示操作部は、少なくとも電話番号の入力及び電話の発着信の操作入力を行う入力手段と、表示手段と、電源用の電池と、この電池からの電源供給を制御する電源制御手段と、前記第２の無線通信手段との間でデータを送受する無線通信手段とを備え、
前記携帯電話機本体の主電源制御手段は、前記表示操作部の電源制御手段の制御に連動して電源のオンオフ制御を行う
ことを特徴とする携帯電話機。
【請求項２】
前記表示操作部は、データを保持するメモリと、このメモリへの書き込み及び読み出しを制御する制御手段と、
を具備することを特徴とする請求項１に記載の携帯電話機。
【請求項３】
前記表示操作部の入力手段は、テキストを入力するキーを具備することを特徴とする請求項２に記載の携帯電話機。
【請求項４】
前記携帯電話機本体とこの携帯電話機本体から着脱可能に構成された前記表示操作部とから構成され、
前記携帯電話機本体に前記表示操作部を装着時に、前記携帯電話機本体と前記表示操作部とを電気的に接続する接続端子を介して、前記携帯電話機本体から前記表示操作部の電池を充電する
ことを特徴とする請求項１乃至請求項３のいずれかの項に記載の携帯電話機。
【請求項５】
前記携帯電話機本体とこの携帯電話機本体から着脱可能に構成された前記表示操作部とから構成され、
前記表示操作部の電源制御手段は、前記携帯電話機本体と前記表示操作部が分離している場合に、前記携帯電話機本体の主電源制御手段との連動を停止する
ことを特徴とする請求項１乃至請求項３のいずれかの項に記載の携帯電話機。
【請求項６】
前記表示操作部の電源制御手段は、前記携帯電話機本体と前記表示操作部が分離している場合に、前記携帯電話機本体の電源のオンオフ、または、前記表示操作部の電源のオンオフのいずれかを行う
ことを特徴とする請求項５に記載の携帯電話機。
【発明の詳細な説明】
【０００１】
【発明の属する技術分野】
本発明は、携帯電話機に係り、特に、表示操作部が携帯電話機本体から着脱可能な携帯電話機に関する。
【０００２】
【従来の技術】
従来の携帯電話機は、携帯電話機本体から表示操作部を着脱することができるようになっている（例えば、特許文献１参照）。
【０００３】
【特許文献１】
特開平０９−３２１８４８号公報
【０００４】
【発明が解決しようとする課題】
しかし、上述した従来の携帯電話機では、携帯電話機本体に電話番号を入力するテンキーを備えていないので、携帯電話機本体から表示操作部を取り外したままでは、電話をすることができない。
【０００５】
また、従来の携帯電話機は、表示操作部から携帯電話機本体の電源の制御ができないので、携帯電話機本体と表示操作部が分離している場合に、例えば携帯電話機本体がバッグ等に入っていると、その携帯電話機本体を取り出してから電源の操作をしなければならない。
上記のように従来の携帯電話機には、使い勝手が悪いという問題がある。
【０００６】
本発明は、このような事情を考慮してなされたもので、その目的は、携帯電話機本体と表示操作部が分離している場合に、表示操作部により電話の発着信や電源等の操作を行うことができる携帯電話機を提供することにある。
【０００７】
【課題を解決するための手段】
上記の課題を解決するために、請求項１に記載の携帯電話機は、携帯電話機本体と表示操作部とから構成される携帯電話機において、前記携帯電話機本体は、無線基地局と無線通信する第１の無線通信手段と、無線電話制御手段と、送話手段と、受話手段と、電源用の電池と、この電池からの電源供給を制御する主電源制御手段と、前記表示操作部との間でデータを送受する第２の無線通信手段とを備え、前記表示操作部は、少なくとも電話番号の入力及び電話の発着信の操作入力を行う入力手段と、表示手段と、電源用の電池と、この電池からの電源供給を制御する電源制御手段と、前記第２の無線通信手段との間でデータを送受する無線通信手段とを備え、前記携帯電話機本体の主電源制御手段は、前記表示操作部の電源制御手段の制御に連動して電源のオンオフ制御を行うことを特徴としている。
【０００８】
請求項２に記載の携帯電話機においては、前記表示操作部は、データを保持するメモリと、このメモリへの書き込み及び読み出しを制御する制御手段とを具備することを特徴とする。
【０００９】
請求項３に記載の携帯電話機においては、前記表示操作部の入力手段は、テキストを入力するキーを具備することを特徴とする。
【００１０】
請求項４に記載の携帯電話機においては、前記携帯電話機本体とこの携帯電話機本体から着脱可能に構成された前記表示操作部とから構成され、前記携帯電話機本体に前記表示操作部を装着時に、前記携帯電話機本体と前記表示操作部とを電気的に接続する接続端子を介して、前記携帯電話機本体から前記表示操作部の電池を充電することを特徴とする。
【００１１】
請求項５に記載の携帯電話機においては、前記携帯電話機本体とこの携帯電話機本体から着脱可能に構成された前記表示操作部とから構成され、前記表示操作部の電源制御手段は、前記携帯電話機本体と前記表示操作部が分離している場合に、前記携帯電話機本体の主電源制御手段との連動を停止することを特徴とする。
【００１２】
請求項６に記載の携帯電話機においては、前記表示操作部の電源制御手段は、前記携帯電話機本体と前記表示操作部が分離している場合に、前記携帯電話機本体の電源のオンオフ、または、前記表示操作部の電源のオンオフのいずれかを行うことを特徴とする。
【００１３】
【発明の実施の形態】
以下、図面を参照し、本発明の一実施形態について説明する。
図１は、本発明の一実施形態による携帯電話機の構成を示すブロック図である。図２は、図１に示す携帯電話機の携帯電話機本体１００から表示操作部２００を取り外した状態を示す外観斜視図である。本実施形態による携帯電話機は、携帯電話機本体１００と、携帯電話機本体１００から着脱可能に構成された表示操作部２００とから構成されている。
【００１４】
図１において、携帯電話機本体１００は、基地局との間で無線信号をアンテナ１０５を介して送受信する無線部１０１と、ＣＰＵ１０４に制御され、無線部１０１で受信した受信信号をスピーカ１０６に出力し、マイク１０７からの送信信号を無線部１０１に送出する制御部１０２と、通信相手の電話番号等を入力するテンキーパッドからなる入力部１１２と、短縮番号などのデータを記憶するメモリ１０３と、表示操作部２００との間でデータを送受する送受信部１０８と、無線部１０１及び制御部１０２及びメモリ１０３及び送受信部１０８を制御するＣＰＵ１０４と、携帯電話機本体１００を動作させるための電源である電池１０９と、携帯電話機本体１００の主電源をＯＮ／ＯＦＦする主電源スイッチ１１０と、表示操作部２００と電気的に接続する接続端子１１１とを備えている。
【００１５】
表示操作部２００は、通話キー、終話キー、アルファベット（ＱＷＥＲＴＹ）キー等を有する入力部２０１と、入力したデータや携帯電話機本体１００から受信したデータを表示する表示部２０２と、電話番号やメールアドレス、スケジュール等を記憶するメモリ２０３と、携帯電話機本体１００とデータを送受する送受信部２０５と、メモリ２０３および送受信部２０５を制御するＣＰＵ２０４と、表示操作部２００を動作させるための電源である電池２０６と、表示操作部２００の電源をＯＮ／ＯＦＦする電源スイッチ２０７と、携帯電話機本体１００と電気的に接続する接続端子２０８とを備えている。
【００１６】
携帯電話機本体１００と表示操作部２００は、それぞれ対応する箇所にコネクタを有しており、これらコネクタによって機構的に接続される。また、各コネクタには、接続端子１１１，２０８が組み込まれており、コネクタ同士が勘合することにより接続端子１１１と２０８が電気的に接続する。
【００１７】
そして、携帯電話機本体１００と表示操作部２００が各接続コネクタにより接続され、一体化している場合、接続端子１１１，２０８を介して、携帯電話機本体１００と表示操作部２００の間で相互にデータを送受することができる。
【００１８】
一方、携帯電話機本体１００と表示操作部２００が分離している場合には、送受信部１０８，２０５を介して、携帯電話機本体１００と表示操作部２００の間で相互にデータを送受することができる。送受信部１０８，２０５は、共に、ブルートゥース・モジュールで構成されており、ブルートゥースによる無線通信が可能である。
【００１９】
図２に示すように、携帯電話機本体１００には、上部にスピーカ１０６が、下部にマイク１０７が配置されている。スピーカ１０６とマイク１０７との間には着脱可能に構成された表示操作部２００が配置されている。この表示操作部２００には、その表面に入力部２０１と表示部２０２とが配置されている。入力部２０１は通話キー、終話キー、アルファベット（ＱＷＥＲＴＹ）キー等から構成される。これら入力部２０１の各種キーにより、携帯電話機や電話帳等を操作することができる。表示部２０２は液晶表示器等の表示器により構成されており、入力部２０１から入力したデータや携帯電話機本体１００から受信したデータを表示する。
【００２０】
また、携帯電話機本体１００には、その表面に、入力部（テンキーパッド）１１２と主電源スイッチ１１０と送受信部１０８と接続端子１１１とが配置されている。送受信部１０８は、表示操作部２００の送受信部２０５との間でデータを送受信する。
【００２１】
表示操作部２００には、その表面に、送受信部２０５が配置されており、この送受信部２０５は携帯電話機本体１００の送受信部１０８との間でデータを送受信する。
【００２２】
次に、上記した本実施形態による携帯電話機の動作について説明する。
先ず、携帯電話機本体１００と表示操作部２００が一体化している場合について説明する。
この場合、携帯電話機本体１００の主電源スイッチ１１０は表示操作部２００に隠れて見えなくなり、直接操作することができない。しかし、この場合には、表示操作部２００の電源スイッチ２０７を操作すれば、そのＯＮ／ＯＦＦの信号が接続端子２０８，１１１を介して携帯電話機本体１００に入力され、電源のＯＮ／ＯＦＦの操作が可能である。なお、表示操作部２００の電源スイッチ２０７により電源をＯＦＦにしても、携帯電話機本体１００の送受信部１０８にだけは電源が供給され続けている。
なお、送受信部１０８，２０５を介して表示操作部２００から携帯電話機本体１００へ電源スイッチ２０７のＯＮ／ＯＦＦの信号を伝達するようにしてもよい。
【００２３】
次に、携帯電話機本体１００と表示操作部２００が分離している場合について説明する。
この場合、携帯電話機本体１００に設けられた主電源スイッチ１１０を操作すれば、携帯電話機本体１００の主電源をＯＮまたはＯＦＦすることができる。主電源スイッチ１１０により電源をＯＮにすると、全ての回路部分に電源が供給される。主電源スイッチ１１０により電源をＯＦＦにすると、携帯電話機本体１００の全ての回路部分に電源が供給されなくなる。
【００２４】
一方、表示操作部２００の電源スイッチ２０７を押下すると、表示部２０２に電源操作メニューが表示される。このメニュー操作は入力部２０１により行う。
もう一度押下すると、当該メニュー操作はキャンセルされる。以下に、電源操作メニューに含まれる第１〜第４のメニューの構成を示す。
【００２５】
［第１のメニュー］
第１のメニューは、携帯電話機本体１００の電源がＯＮ、且つ、表示操作部２００の電源がＯＮの場合に表示される。
メニュー内容；
項目１；表示操作部がＯＦＦ
項目２；本体、表示操作部がＯＦＦ
項目３；本体がＯＦＦ
【００２６】
［第２のメニュー］
第２のメニューは、携帯電話機本体１００の電源がＯＦＦ、且つ、表示操作部２００の電源がＯＮの場合に表示される。
メニュー内容；
項目１；表示操作部がＯＦＦ
項目２；本体がＯＮ
項目３；表示操作部がＯＦＦ、本体がＯＮ
【００２７】
［第３のメニュー］
第３のメニューは、携帯電話機本体１００の電源がＯＮ、且つ、表示操作部２００の電源がＯＦＦの場合に表示される。この場合、表示操作部２００の電源は無条件でＯＮとなる。
メニュー内容；
項目１；何もしない
項目２；本体がＯＦＦ
【００２８】
［第４のメニュー］
第４のメニューは、携帯電話機本体１００の電源がＯＦＦ、且つ、表示操作部２００の電源がＯＦＦの場合に表示される。この場合、表示操作部２００の電源は無条件でＯＮとなる。
メニュー内容；
項目１；本体がＯＮ
項目２；何もしない
【００２９】
使用者は、表示されたメニューに従って、表示操作部２００の入力部２０１を操作すれば、電源のＯＮまたはＯＦＦを操作することができる。
【００３０】
なお、上記第１〜第４のメニューの説明において、携帯電話機本体１００の電源がＯＦＦとは、送受信部１０８以外の携帯電話機本体１００の各部への電源供給を停止し、且つ、送受信部１０８へは電源を供給する状態のことを指す。表示操作部２００の電源がＯＦＦとは、送受信部２０５以外の表示操作部２００の各部への電源供給を停止し、且つ、送受信部２０５へは電源を供給する状態のことを指す。
【００３１】
また、上記したように、携帯電話機本体１００の主電源スイッチ１１０により電源をＯＦＦにすると、携帯電話機本体１００の全ての回路部分に電源が供給されなくなる。したがって、主電源がＯＦＦにされた場合、携帯電話機本体１００は全く動作しないので、表示操作部２００の電源スイッチ２０７では携帯電話機本体１００の電源を操作することはできない。
【００３２】
次に、携帯電話機の使用者が電話する際、発呼時には、携帯電話機本体１００の入力部１１２のテンキー操作で相手先電話番号を入力するか、もしくは、表示操作部２００の入力部２０１のアルファベットキーあるいは短縮キー等の操作により、相手先の電話番号または電話番号を特定する情報（氏名等）を表示させる。次いで通話キーを押下する。この通話キーの操作により、表示操作部２００の送受信部２０５から携帯電話機本体１００の送受信部１０８へ、発呼信号と、入力部２０１で電話番号を指定した場合にはその相手先の電話番号が送信される。
これにより携帯電話機本体１００は発呼状態となり、基地局との間で無線による電話回線を設定し、他の電話機との通話が可能となる。
【００３３】
一方、携帯電話機への着呼時には、携帯電話機の使用者が表示操作部２００の入力部２０１の通話キーを押下することにより、表示操作部２００の送受信部２０５から携帯電話機本体１００の送受信部１０８へ着呼応答信号が送信される。
これにより、携帯電話機本体１００は基地局からの着呼信号に対し応答し、基地局との間で無線による電話回線を設定し、他の電話機との通話が可能になる。
【００３４】
次いで、通話の終了時には、携帯電話機の使用者は、表示操作部２００の入力部２０１の終話キーを押下することにより、表示操作部２００の送受信部２０５から携帯電話機本体１００の送受信部１０８へ終話信号が送信される。これにより、携帯電話機本体１００は基地局との間での無線電話回線を切断する終話処理を行う。
【００３５】
なお、携帯電話機による通話中に、携帯電話機の使用者が何らかのメモを取る必要が生じたときは、表示操作部２００のアルファベット（ＱＷＥＲＴＹ）キー等のキーを操作することにより、キー操作の内容がＣＰＵ２０４によりメモリ２０３に記憶される。
【００３６】
このメモの操作は、図２に示すように、表示操作部２００を携帯電話機本体１００から分離した状態で行うことができる。したがって、使用者は、携帯電話機本体１００を耳、口から離すことなく、即ち通話を中断することなく、表示操作部２００の操作を行い、通話中のメモをとることができる。
【００３７】
また、表示操作部２００を携帯電話機本体１００から分離することができるので、使用者は、公共交通機関内や病院等のモラル上携帯電話が禁止されている場所で、携帯電話機本体１００の電源を切り、バッグ等にしまった上で、表示操作部２００をＰＤＡ（携帯情報端末）として使用することができる。
【００３８】
また、表示操作部２００と携帯電話機本体１００が一体化されているときに、接続端子１１１，２０８を介して、携帯電話機本体１００から表示操作部２００へ電源を供給し、表示操作部２００の電池２０６を充電することも可能である。
【００３９】
以上、本発明の実施形態を図面を参照して詳述してきたが、具体的な構成はこの実施形態に限られるものではなく、本発明の要旨を逸脱しない範囲の設計変更等も含まれる。
【００４０】
【発明の効果】
以上説明したように、本発明によれば、携帯電話機本体と表示操作部が分離している場合に、無線通信により表示操作部から携帯電話機本体へ、通話相手の電話番号及び発信指示、あるいは着信応答指示を送信して電話の発着信を行うことができる。これにより、携帯電話機本体から表示操作部を取り外したままで、電話をすることが可能となり、使い勝手が向上する。
【００４１】
さらに、表示操作部から携帯電話機本体へ電源制御情報を送信し、表示操作部と携帯電話機本体が連動して電源制御を行うことができる。これにより、例えば携帯電話機本体がバッグ等に入っていても、表示操作部から電源の操作を行うことができるので、使い勝手が向上する。
【００４２】
また、表示操作部にテキスト入力キーを備え、メモリに入力データを保持するようにすれば、携帯電話機本体と表示操作部が分離している場合に、携帯電話機の使用者は通話を中断することなく、通話内容等をメモすることができる。
【図面の簡単な説明】
【図１】本発明の一実施形態による携帯電話機の構成を示すブロック図である。
【図２】図１に示す携帯電話機の携帯電話機本体１００から表示操作部２００を取り外した状態を示す外観斜視図である。
【符号の説明】
１００…携帯電話機本体、１０１…無線部、１０２…制御部、１０３…メモリ、１０４，２０４…ＣＰＵ、１０５…アンテナ、１０６…スピーカ、１０７…マイク、１０８，２０５…送受信部、１０９，２０６…電池、１１０…主電源スイッチ、１１１，２０８…接続端子、１１２，２０１…入力部、２００…表示操作部、２０２…表示部、２０３…メモリ、２０７…電源スイッチ
【図１】
2004172826.tif 000003
【図２】
2004172826.tif 000004